【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
第一壁と該第一壁と交わる第二壁の間の壁間角度が入力可能な入力手段と、
複数の壁間角度を記憶保持すると共に、該第一壁に施工される第１施工部材と該第二壁に施工される第２施工部材との突き合わせ部における該第１施工部材と該第２施工部材の壁間角度に応じた切断角度を記憶保持する記憶手段と、
該入力手段によって入力された特定の壁間角度に基づいて該記憶手段に記憶された切断角度を選択する処理手段と、
該処理手段によって選択された切断角度が表示される表示手段と、を備えたことを特徴とする卓上切断機用切断角度表示装置。
【請求項２】
該入力手段には、該第１施工部材と第２施工部材を含む施工部材を該第一壁及び該第二壁を含む被施工部に施工した際に、該被施工部と該施工部材との間の角度となる施工角度を更に入力可能であり、
該記憶手段は複数の施工角度を記憶保持すると共に、該切断角度は、該壁間角度と該施工角度とに対応して該記憶手段に記憶され、
該処理手段は、該入力手段によって入力された特定の壁間角度と特定の施工角度に基づいて該記憶手段に記憶された切断角度を選択することを特徴とする請求項１に記載の卓上切断機用切断角度表示装置。
【請求項３】
該入力手段と該記憶手段と該処理手段と該表示手段とを駆動する電源を更に備え、該電源は電池であることを特徴とする請求項１または請求項２のいずれかに記載の卓上切断機用切断角度表示装置。
【請求項４】
第一壁と該第一壁と交わる第二壁の間の壁間角度が入力可能な入力手段と、
該第一壁に施工される第１施工部材と該第二壁に施工される第２施工部材との突き合わせ部における該第１施工部材と該第２施工部材の壁間角度に応じた切断角度を、該入力手段により入力された該壁間角度に応じて演算して算出する演算手段と、
該演算手段で算出された該切断角度が表示される表示手段と、を備えたことを特徴とする卓上切断機用切断角度表示装置。
【請求項５】
該入力手段には、該第１施工部材と第２施工部材を含む施工部材を該第一壁及び該第二壁を含む被施工部に施工した際に、該被施工部と該施工部材との間の角度となる施工角度を更に入力可能であり、該演算手段は、該壁間角度と該施工角度とに応じて切断角度を算出することを特徴とする請求項４に記載の卓上切断機用切断角度表示装置。
【請求項６】
該入力手段と該演算手段と該表示手段とを駆動する電源を更に備え、該電源は電池であることを特徴とする請求項４または請求項５のいずれかに記載の卓上切断機用切断角度表示装置。
【請求項７】
被切断部材を支持するベースと、
切断刃を支持する切断部と、
該ベース上に回動可能に軸支されたターンテーブルと、
該ターンテーブル上に設けられると共に該切断部を揺動可能に支持する支持部と、
請求項１または請求項４のいずれかに記載の卓上切断機用切断角度表示装置と、を備えたことを特徴とする卓上切断機。
【請求項８】
複数のスリットが形成されると共に該ターンテーブルの回動に応じて回動する略円盤形状の被検出部と、該複数のスリットにより生じる光パルスを検出する検出部と、を備えて該ターンテーブルが所定単位回動角度回動する毎に該複数のスリットから発生する光パルスを検出する回動角度検出装置と、
該回動角度検出装置で検出した光パルス数に応じて該所定単位回動角度の整数倍に等しい所定表示単位回動角度毎に更新して該表示手段に該回動角度を表示させる制御手段と、を備えたことを特徴とする請求項７に記載の卓上切断機。
【請求項９】
被切断部材を支持するベース部と、
切断刃を支持する切断部と、
該ベース部に対して該切断部を揺動可能に支持すると共に、該ベース部に傾動可能に支持される支持部と、
請求項１または請求項４のいずれかに記載の卓上切断機用切断角度表示装置と、を備えたことを特徴とする卓上切断機。
【請求項１０】
複数のスリットが形成されると共に該切断部の傾動に応じて回動する略円盤形状の被検出部と、該複数のスリットにより生じる光パルスを検出する検出部と、を備えて該切断部が所定単位傾動角度傾動する毎に該複数のスリットから発生する光パルスを検出する傾動角度検出装置と、
該傾動角度検出装置で検出した光パルス数に応じて該所定単位傾動角度の整数倍に等しい所定表示単位傾動角度毎に更新して該表示手段に該傾動角度を表示させる制御手段と、を備えたことを特徴とする請求項９に記載の卓上切断機。
【手続補正２】
【補正対象書類名】明細書
【補正対象項目名】００４１
【補正方法】変更
【補正の内容】
【００４１】
長孔７９を画成する長孔縁８０は、傾動部７４の後面より後側に突出している。クランプシャフト８１の後端にはクランプレバー８２が設けられており、このクランプレバー８２と長孔縁８０の間には内部に図示せぬバネを内蔵した図示せぬスペーサが設けられている。クランプシャフト８１は傾動支持部７１と螺合しているため、クランプレバー８２を回転させクランプシャフト８１を締め込むことにより、クランプレバー８２及び図示せぬスペーサは、傾動支持部７１側に移動する。図示せぬスペーサと傾動支持部７１との間には、傾動部７４の一部である長孔縁８０が介在しているため図示せぬスペーサと傾動支持部７１との間で長孔縁８０は狭持される。従って、回動壁７８と傾動支持部７１との間に摩擦力が発生し、傾動支持部７１に対して傾動部７４が固定される。
【手続補正３】
【補正対象書類名】明細書
【補正対象項目名】００５６
【補正方法】変更
【補正の内容】
【００５６】
最適角度表示モードが表示されている場合には、まずＳ１９０５へ進み、使用する施工部材１９４の第一壁１９１及び第二壁１９２に対する施工角度θ２を使用者に選択させるためにデジタル表示部１３１のＭｉｔｅｒ角度表示部に“５２／３８°”を、Ｂｅｖｅｌ角度表示部に“４５／４５°”を表示させる。次に使用者が５２／３８°（施工角度θ２が５８°）の施工部材１９４を使用する場合はＭｉｔｅｒリセットスイッチ１４８を押し、Ｓ１９０６へ進みマイコン１４２によって使用施工部材１９４を５２／３８°に設定する。また使用者が４５／４５°（施工角度θ２が４５°）の施工部材１９４を使用する場合はＢｅｖｅｌリセットスイッチ１４９を押し、Ｓ１９０７へ進みマイコン１４２によって使用施工部材１９４を４５／４５°に設定する。
【手続補正４】
【補正対象書類名】明細書
【補正対象項目名】００５８
【補正方法】変更
【補正の内容】
【００５８】
次にＳ１９１０へ進み、壁の角度入力が完了した場合は、使用者はｅｎｔｅｒスイッチとしてバックライトスイッチ１５０を押す。バックライトスイッチ１５０が押されたらＳ１９１１へ進み、施工部材１９４の切断角度を予めＥＥＰＲＯＭ１４３に記憶されている図１８に示されるマップから、入力された壁間角度θ１及び施工角度θ２に基づいてマイコン１４２で選択し（選択手段）、その結果をＳ１９１２へ進み、デジタル表示部１３１に最適Ｍｉｔｅｒ角度、最適Ｂｅｖｅｌ角度を表示させる（表示手段）。
【手続補正５】
【補正対象書類名】明細書
【補正対象項目名】００７０
【補正方法】変更
【補正の内容】
【００７０】
先ずメインスイッチ２０６がＯＮされて電源が投入されると図２２の制御がスタートする。スタートした後、Ｓ２２０１へ進み、使用する施工部材１９４の第一壁１９１及び第二壁１９２に対する施工角度θ２を使用者にリクエストするためにデジタル表示部２０２のＭｉｔｅｒ角度表示部に“５２／３８°”を、Ｂｅｖｅｌ角度表示部に“４５／４５°”を表示させる。次に使用者が５２／３８°（施工角度が５８°）の施工部材１９４を使用する場合は角度入力用スイッチＡ２０３を押し、Ｓ２２０２へ進みマイコン２１３によって使用施工部材１９４を５２／３８°に設定する。また使用者が４５／４５°（施工角度が４５°）の施工部材１９４を使用する場合は角度入力用スイッチＢ２０４を押し、Ｓ２２０３へ進みマイコン２１３によって使用施工部材１９４を４５／４５°に設定する。
【手続補正６】
【補正対象書類名】明細書
【補正対象項目名】００７６
【補正方法】変更
【補正の内容】
【００７６】
１・・卓上丸鋸  ２・・ベース部  ３・・支持部  ４・・切断部  １１・・ベース
１１Ａ・・右ベース  １１Ｂ・・左ベース  １２・・フェンス  １２Ａ・・右フェンス
１２Ｂ・・左フェンス  １２Ｃ・・回動フェンス  １２Ｄ・・回転軸  １５・・連結部
１６・・円弧部  １６ａ・・係止溝  １９・・回動支持部  ２０・・弧状外歯車
２０Ａ・・ネジ  ２１・・ターンテーブル  ２２・・円台部  ２３・・首台部
２３Ａ・・凸部  ２４・・弧状凹部  ２５・・切断溝プレート  ２５ａ・・切断溝
２６・・ロックレバー  ２６Ａ・・押下部  ２６Ｂ・・凸部  ２７・・ネジ
２８・・回動軸部  ３２・・ボルト  ４１・・調整装置  ４３・・固定ハンドル
４９・・ロックレバー固定ピン  ５１・・回動量検出ユニット  ５２・・ハウジング
５６・・第一歯車  ５６Ａ・・第一ギア  ５６Ｂ・・第二ギア  ５７・・軸
５８・・第二歯車  ５８Ａ・・第三ギア  ５８Ｂ・・第四ギア  ５９・・軸
６０・・被検出部  ６０Ａ・・第五ギア  ６０Ｂ・・被検出要素  ６０ｃ・・スリット
６１・・軸  ６２・・光センサ  ７１・・傾動支持部  ７１ａ・・凹部  ７２・・支持孔
７３・・クランプ孔  ７４・・傾動部  ７４Ａ・・傾動部壁  ７５・・回動孔
７６・・ピン状ボルト  ７７・・弧状内歯車  ７８・・回動壁  ７８・・回動壁
７９・・長孔  ８０・・長孔縁  ８１・・クランプシャフト  ８２・・クランプレバー
８４・・揺動支持腕  ８５・・揺動支持ピン
８６・・アーム支持部  ８７・・カバー  ９１・・回転装置
１０１・・傾動量検出ユニット  １０２・・ハウジング  １０６・・第一歯車
１０６Ａ・・第一ギア  １０６Ｂ・・第二ギア  １０７・・軸  １０８・・第二歯車
１０８Ａ・・第三ギア  １０８Ｂ・・第四ギア  １０９・・軸  １１０・・被検出部
１１０Ａ・・第五ギア  １１０Ｂ・・被検出要素  １１０ｃ・・スリット  １１１・・軸
１１２・・光センサ  １２１・・フレーム  １２２・・モータハウジング
１２３・・丸鋸刃  １２４・・回転軸  １２５・・鋸刃カバー
１２６・・セーフティカバー  １２７・・アーム  １２８・・ハンドル
１２９・・移動用ハンドル  １３１・・デジタル表示部  １３２・・電池ボックス
１４２・・マイコン  １４４・・Miter用エンコーダ  １４５・・Bevel用エンコーダ
１４６・・コンバータ  １４７・・レギュレータ  １４８・・Miterリセットスイッチ
１４９・・Bevelリセットスイッチ  １５０・・バックライトスイッチ  
１５１・・表示モード切換スイッチ  １９１・・第一壁  １９２・・第二壁
１９３・・天井  ２０１・・卓上切断機用切断角度表示装置  ２０２・・デジタル表示部
２０３・・角度入力用スイッチＡ  ２０４・・角度入力用スイッチＢ
２０５・・スイッチ  ２０６・・メインスイッチ  ２１０・・電池
２１１・・ダイオード  ２１２・・コンバータ  ２１３・・マイコン  θ１・・壁間角度
θ２・・施工角度
【手続補正７】
【補正対象書類名】図面
【補正対象項目名】図２
【補正方法】変更
【補正の内容】
【図２】
2007111960.tif 000001
【手続補正８】
【補正対象書類名】図面
【補正対象項目名】図１２
【補正方法】変更
【補正の内容】
【図１２】
2007111960.tif 000002
【手続補正９】
【補正対象書類名】図面
【補正対象項目名】図１８
【補正方法】変更
【補正の内容】
【図１８】
2007111960.tif 000003